(57)【特許請求の範囲】
【請求項１】
裏板を固定するために額縁枠の裏側に形成した溝に装着する裏板の固定具において、額縁枠の内周面に沿う係止片と、該係止片と直交する天板部を有し、該天板部が前記溝に摺動可能に装着されるとともに、互いに引き合う方向に付勢された一対の固定具本体と、前記各係止片と額縁枠との間で支持される支持片を有し、各係止片の間にその縁部が挟持され、前記裏板を裏側から押さえる押さえ片とを備え、前記各係止片の挟持側縁部を鋸歯状に形成して押さえ片の縁部を係止可能としたことを特徴とする額縁における裏板の固定具。
【請求項２】
各係止片の挟持側縁部の鋸歯を、押さえ片を額縁枠の表方向には進行させる、係合片の中心線に対して１０〜３０°の角度を有する進行部と、逆方向には止める、これとは逆方向の８０〜６０°の角度を有する係止部とを有するように形成したことを特徴とする請求項１記載の額縁における裏板の固定具。
【請求項３】
各係止片の挟持側縁部をそれぞれ額縁枠の表方向に行くに従い漸次間隔が拡がるテーパ状に形成したことを特徴とする請求項１又は２記載の額縁における裏板の固定具。
【請求項４】
少なくとも一方の固定具本体に、該固定具本体を額縁枠に固定する固定手段を設けた請求項１〜３いずれか１項に記載の額縁における裏板の固定具。
【請求項５】
前記支持片を、押さえ片の縁部付近から額縁枠の表方向に、先端が狭まるテーパを付して延出するとともに、前記一対の固定具本体の間に、各固定具本体が引き合って最も接近した状態で、前記支持片の先端部より幅広となる支持片挿入部を形成したことを特徴とする請求項１〜４いずれか１項に記載の額縁における裏板の固定具。
【発明の詳細な説明】
【０００１】
【発明の属する技術分野】
本発明は、額縁におけるキャンバス、裏板等（本明細書において、単に「裏板」という。）の固定具に関するものである。
【０００２】
【従来の技術】
額縁は、額縁枠内に、表側に透明なガラス板を、中間に写真等の作品を、裏側に裏板を順次重ねるように配置し、額縁枠に旋回可能に装着した止片により裏板を固定するようにしている。
上記止片は額縁枠の裏側の面に、この裏側の面に沿って旋回するように一方の端部が軸着されており、他方の端部が額縁枠内に突出するように旋回させた状態で、裏板をガラス板や作品とともに押さえて固定する構造を有している。
【０００３】
【発明が解決しようとする課題】
しかしながら、上記従来の額縁の裏板の固定具においては、止片が額縁枠の裏側の面に沿って旋回する構成であるため、額縁枠内に配置されるガラス板や作品、及び裏板の合計の厚さが、額縁枠の有効厚さよりも小さい場合には、止片によって裏板を十分に固定することができず、中間に配置した写真や賞状等が振動等により移動してしまうという問題点があった。
【０００４】
本発明は、上記従来の額縁における裏板の固定具の有する問題点に鑑み、額縁枠への装着及び操作を簡単に行えるとともに、作品の厚みにかかわらず裏板を確実に固定することができる額縁における裏板の固定具を提供することを目的とする。
【０００５】
【課題を解決するための手段】
上記目的を達成するため、本発明の額縁における裏板の固定具は、裏板を固定するために額縁枠の裏側に形成した溝に装着する裏板の固定具において、額縁枠の内周面に沿う係止片と、該係止片と直交する天板部を有し、該天板部が前記溝に摺動可能に装着されるとともに、互いに引き合う方向に付勢された一対の固定具本体と、前記各係止片と額縁枠との間で支持される支持片を有し、各係止片の間にその縁部が挟持され、前記裏板を裏側から押さえる押さえ片とを備え、前記各係止片の挟持側縁部を鋸歯状に形成して押さえ片の縁部を係止可能としたことを特徴とする。
【０００６】
本発明の裏板の固定具は、押さえ片を額縁枠の内周面に沿うように摺動させ、固定具本体の係止片で挟むことによって固定できることから、係止片の長さの範囲内において押さえ片を自由に位置決めすることができ、これにより作品の厚みにかかわらず裏板を押さえて、簡単かつ確実に固定することができる。
【０００７】
この場合において、各係止片の挟持側縁部の鋸歯を、押さえ片を額縁枠の表方向には進行させる、係合片の中心線に対して１０〜３０°の角度を有する進行部と、逆方向には止める、これとは逆方向の８０〜６０°の角度を有する係止部とを有するように形成することも可能であり、これにより、押さえ片を押し込むだけで裏板を固定することができる。
【０００８】
また、各係止片の挟持側縁部をそれぞれ額縁枠の表方向に行くに従い漸次間隔が拡がるテーパ状に形成することも可能であり、これにより、上記押さえ片の押し込みを楽に行えるとともに、各係止片と押さえ片の係止状態を浅くした場合でも押さえ片の逆戻りを防ぐことが可能となる。
【０００９】
また、少なくとも一方の固定具本体に、該固定具本体を額縁枠に固定する固定手段を設け、固定具全体の額縁枠に対する位置固定を図ることが可能である。
【００１０】
さらに、前記支持片を、押さえ片の縁部付近から額縁枠の表方向に、先端が狭まるテーパを付して延出するとともに、前記一対の固定具本体の間に、各固定具本体が引き合って最も接近した状態で、前記支持片の先端部より幅広となる支持片挿入部を形成することもでき、これにより、支持片を支持片挿入部に挿入すると、支持片のテーパが支持片挿入部に係合し固定具本体の間隔を付勢力に抗して押し広げ、押さえ片の縁部が固定具本体の係止片に近づいた段階でこの係合を解くことから、支持片を押し込むだけで押さえ片の縁部を上記係止片に自動的に係止させることが可能となる。
【００１１】
【発明の実施の形態】
以下、本発明の額縁における裏板の固定具の実施の形態を図面に基づいて説明する。
【００１２】
図１〜図５に、本発明の額縁における裏板の固定具の一実施例を示す。
この額縁における裏板の固定具は、額縁の裏板４を固定するために額縁枠３の裏側に形成した溝３０に装着して使用するもので、一対の固定具本体１と、裏板４を押圧するための押さえ片２とから構成されている。
【００１３】
固定具本体１は、額縁枠３の内周面３３に沿う係止片５と、この係止片５と直交する天板部７を有し、この天板部７が溝３０に摺動可能に装着されるとともに、ばね部材６によって互いに引き合う方向に付勢された一対のものからなり、また押さえ片２は、各固定具本体１の係止片５の間にその縁部２ａが挟持され、裏板４を裏側から押さえるようになっている。
【００１４】
額縁枠３の溝３０は、溝の各側壁から内側に張り出したレール部３１を有しており、固定具本体１は、このレール部３１の上方に位置する天板部７と、この天板部７の両端からそれぞれ延出してレール部３１の下方に位置する４本の爪部材８とを備えている。すなわち、固定具本体１は、これら天板部７と爪部材８とでレール部３１を挟むことにより、レール部３１に対し摺動可能に装着されている。
【００１５】
また、天板部７にはねじ孔が貫設されており、このねじ孔には固定手段としてビス９が螺合されている。このビス９を締め込んで溝３０の底部３２に当接させることにより、少なくとも一方の固定具本体１を固定することができる。なお、このビス９には、２つの固定具本体１に亙って前記ばね部材６が架設されている。
【００１６】
一方、固定具本体１の係止片５は、各挟持側縁部５ａが、押さえ片２の縁部が係止する鋸歯状に形成されている。この挟持側縁部５ａの鋸歯は、押さえ片２を額縁枠の表方向（押し込み方向）Ａには進行させ、かつこの表方向Ａと逆方向には止める形状として、図３に示すように、係合片５の中心線Ｌに対して、略１０〜３０°の角度θ１を有する部分である進行部５ａ１と、これとは逆方向の略８０〜６０°の角度θ２を有する部分である係止部５ａ２とを有するように形成されている。
また、各係止片５は、挟持側縁部５ａがそれぞれ額縁枠３の表方向Ａに行くに従い漸次間隔が拡がるテーパ状に形成されている。この係止片５を含めた固定具本体１の形状は、一対の固定具本体１を共用できるように、図示のように左右対称に形成されている。
【００１７】
この係止片５の挟持側縁部５ａは、押さえ片２側に若干張り出すように形成されており、この挟持側縁部５ａは、押さえ片２の支持片１１を額縁枠３の内周面３３とで挟むことにより、支持片１１を摺動可能に支持するようになっている。
【００１８】
他方、押さえ片２は、裏板４の裏側の面に添着される平板状の押さえ片本体１０と、この押さえ片本体１０の基部から額縁枠３の内周面３３に沿って略直角に延出された平板状の支持片１１とからなる。
押さえ片２には、裏板４に対する固定用ビス孔１２と掛止用爪部１３とが設けられている。
【００１９】
支持片１１は、押さえ片２の縁部２ａ付近から額縁枠３の表方向Ａに、先端部１１ａが狭まるテーパを付して延出されている。
これに対し、２つの固定具本体１の間には、図３及び図４に示すように、各固定具本体１がばね部材６により引き合って最も接近した状態で、支持片１１の先端部１１ａの幅よりやや広い幅Ｌとなる支持片挿入部１４が形成されている。
【００２０】
上記構成を有する本実施例の額縁における裏板の固定具では、額縁枠３の組立前に、図３に示すように溝３０のレール部３１に一対の固定具本体１をばね部材６を介装した状態で嵌挿し、任意の位置で一方の固定具本体１のビス９を締め付けてこの固定具本体１を固定する。
【００２１】
そして、図３及び図４に示すように、額縁枠３にガラスや作品、裏板４をセットした後、押さえ片２の支持片１１を２つの固定具本体１の間の支持片挿入部１４から挿入する。
【００２２】
支持片１１を支持片挿入部１４に挿入すると、支持片１１のテーパが支持片挿入部１４に係合し、図４から図５に示すように固定具本体１の間隔をばね部材６の付勢力に抗して押し広げる。
そして、支持片１１は、押さえ片２の縁部２ａが固定具本体１の係止片５に近づいた段階で、支持片挿入部１４から外れて上記係合を解くことから、支持片１１を押し込むだけで押さえ片２の縁部２ａは係止片５の挟持側縁部５ａに自動的に係止される。
【００２３】
この状態から、さらに押さえ片２を裏板４側に押し込むと、例えば、図１及び図２に示すように、押さえ片２は係止片５の挟持側縁部５ａと係止しながら任意の押し込み位置で自動的に止まり、裏板４は額縁枠３に強固に固定される。
この場合、必要に応じて、残るもう一方の固定具本体１のビス９を締め付けて、この固定具本体１を固定できるが、ばね部材６の力で係止片５の挟持側縁部５ａと係止する押さえ片２は、両方の固定具本体１を固定しなくても逆戻りすることはない。
【００２４】
すなわち、本実施例の裏板の固定具においては、押さえ片２を額縁枠３の内周面３３に沿うように摺動させ、固定具本体１の係止片５で挟むことによって固定できることから、係止片５の長さの範囲内において押さえ片２を自由に位置決めすることができ、これにより作品の厚みにかかわらず裏板４を押さえて、簡単かつ確実に固定することができる。
そして、各係止片５の挟持側縁部５ａの鋸歯を、押さえ片２を額縁枠の表方向には進行させ、かつ逆方向には止める角度に形成したことにより、上記のように押さえ片２を押し込むだけで裏板４を固定することができる。
【００２５】
さらに、各係止片５の挟持側縁部５ａをそれぞれ額縁枠３の裏側から表側に行くに従い漸次間隔が拡がるテーパ状に形成したことにより、押さえ片２の押し込みが楽に行えるとともに、各係止片５と押さえ片２の係止状態を浅くした場合でも押さえ片２の逆戻りを防ぐことが可能である。
【００２６】
また、支持片１１をテーパを付して延出するとともに、２つの固定具本体１の間に支持片先端部１１ａより幅広の支持片挿入部１４を形成したことにより、支持片１１を押し込むだけで押さえ片２の縁部２ａを係止片５に自動的に係止させることが可能である。
【００２７】
以上、本発明の実施例を説明したが、係止片５の挟持側縁部５ａの形状は、必ずしも前記したようなテーパ状に形成する必要はなく、例えば、天板部７に直交するような真直ぐな形状にすることもできる。
【００２８】
【発明の効果】
本発明の額縁における裏板の固定具によれば、裏板の押さえ片を額縁枠の内周面に沿うように摺動させ、固定具本体の係止片で挟むことによって固定できることから、係止片の長さの範囲内において押さえ片を自由に位置決めすることができ、これにより作品の厚みにかかわらず裏板を押さえて、簡単かつ確実に固定することができる。
【００２９】
また、各係止片の挟持側縁部の鋸歯を、押さえ片を額縁枠の表方向には進行させる、係合片の中心線に対して１０〜３０°の角度を有する進行部と、逆方向には止める、これとは逆方向の８０〜６０°の角度を有する係止部とを有するように形成することにより、押さえ片を押し込むだけで裏板を固定することが可能となる。
【００３０】
また、各係止片の挟持側縁部をそれぞれ漸次間隔が拡がるテーパ状に形成することにより、上記押さえ片の押し込みを楽に行えるとともに、各係止片と押さえ片の係止状態を浅くした場合でも押さえ片の逆戻りを防ぐことが可能となる。
【００３１】
そして、固定具本体の少なくとも一方に、固定具本体を額縁枠に固定する固定手段を設けることにより、固定具全体の額縁枠に対する位置固定を図ることが可能である。
【００３２】
また、支持片をテーパを付して延出するとともに、２つの固定具本体の間に支持片先端部より幅広の支持片挿入部を形成することにより、支持片を押し込むだけで押さえ片の縁部を係止片に自動的に係止させることが可能となる。
【図面の簡単な説明】
【図１】  本発明の額縁における裏板の固定具の一実施例を示す斜視図である。
【図２】  同一部断面正面図である。
【図３】  同押さえ片の挿入前の状態を示す一部断面正面図である。
【図４】  同平面図である。
【図５】  同押さえ片の挿入時の状態を示す平面図である。
【符号の説明】
１      固定具本体
２      押さえ片
２ａ    縁部
３      額縁枠
４      裏板
５      係止片
５ａ    挟持側縁部
６      ばね部材
７      天板部
８      爪部材
９      ビス
１０    押さえ片本体
１１    支持片
１１ａ  先端部
１２    固定用ビス孔
１３    掛止用爪部
１４    支持片挿入部
３０    溝
３１    レール部
３２    溝底部
３３    額縁枠の内周面
【図１】
0004319282.tif 000002
【図２】
0004319282.tif 000003
【図３】
0004319282.tif 000004
【図４】
0004319282.tif 000005
【図５】
0004319282.tif 000006